(57)【要約】【課題】読取装置を大幅に改造すること無くセキュリティを向上させることが可能となる、カードを提供すること。【解決手段】識別情報を読取装置２０に対して送信するカード１０であって、ユーザによって操作された場合に、環境エネルギーを利用して電力を発電する発電部１１と、発電部１１が発電した電力を用いて、ユーザの生体情報を取得する生体情報取得部１２と、生体情報取得部１２が生体情報を取得した場合に、識別情報を読取装置２０に対して送信する通信インターフェース部１６と、を備え、生体情報取得部１２は、発電部１１の周辺に設けられており、発電部１１は、ユーザから付与された力によって変形した場合に発電し、生体情報取得部１２が取得した生体情報に基づいて、生体認証を行う生体情報解析部１５、を備える。【選択図】図１
2017200741.tif 000002
【特許請求の範囲】
【請求項１】
識別情報を読取装置に対して送信するカードであって、
ユーザによって操作された場合に、環境エネルギーを利用して電力を発電する発電手段と、
前記発電手段が発電した電力を用いて、ユーザの生体情報を取得する取得手段と、
前記取得手段が前記生体情報を取得した場合に、前記識別情報を前記読取装置に対して送信する送信手段と、
を備えるカード。
【請求項２】
前記取得手段は、前記発電手段の周辺に設けられている、
請求項１に記載のカード。
【請求項３】
前記発電手段は、ユーザから付与された力によって変形した場合に発電する、
請求項１又は２に記載のカード。
【請求項４】
前記発電手段は、ユーザから熱が伝達された場合に発電する、
請求項１から３のいずれか一項に記載のカード。
【請求項５】
前記取得手段が取得した前記生体情報に基づいて、生体認証を行う認証手段、を備え、
前記送信手段は、前記取得手段が前記生体情報を取得した場合において、前記認証手段による前記生体認証が合格した場合に、前記識別情報を前記読取装置に対して送信する、
請求項１から４のいずれか一項に記載のカード。
【請求項６】
前記取得手段が取得した前記生体情報を格納する生体情報格納手段、を備え、
前記認証手段は、前記生体情報格納手段が格納している前記生体情報に基づいて、前記生体認証を行い、
前記生体情報格納手段は、所定の場合に自己に格納されている前記生体情報が消去される、
請求項５に記載のカード。
【請求項７】
前記送信手段は、前記取得手段が前記生体情報を取得した場合に、前記識別情報と共に、前記取得手段が取得した前記生体情報を送信し、
前記読取装置は、前記カードの前記送信手段が送信した前記生体情報に基づいて、生体認証を行う、
請求項１から６のいずれか一項に記載のカード。
【発明の詳細な説明】
【技術分野】
【０００１】
本発明は、カードに関する。
【背景技術】
【０００２】
従来から、取引において決済を行う技術の１つとして、クレジットカードと、当該クレジットカードの情報を読み込んでオンライン決済を行う決済端末とを備えた決済システムが提案されていた（例えば、特許文献１参照）。この特許文献１の決済システムを含めて、決済システムでの不正な取引を防止するための技術として、クレジットカードの正規のユーザによって決済が行われることを認証するために、オンライン決済を行う前にパスワードの入力を求め、入力されたパスワードが適正であり認証に合格した場合にのみ、オンライン決済を行う技術が提案されていた。
【０００３】
しかしながら、パスワードを用いて不正な取引を防止する技術においては、正規のユーザ以外の不正なユーザにクレジットカードを盗まれた場合、以下に示すように、当該不正なユーザによってパスワードが類推されて、盗まれたクレジットカードを用いて、取引が不正に行われてしまう可能性があった。すなわち、通常、パスワードは、暗証番号という形で４桁の数字が使われることが多く、さらにランダムな暗証番号は覚えにくいことから、誕生日や電話番号をアレンジしたものが多く使われる傾向があり、類推するのが比較的容易となっていた。このために、不正なユーザによってパスワードが類推されて、盗まれたクレジットカードを用いて、取引が不正に行われてしまう可能性があった。
【０００４】
そこで、セキュリティを向上させるための技術として、正規のユーザの指紋の特徴点データを予め登録しておき、当該クレジットカードの情報を読み込んで決済を行う決済端末側に指紋読取認証装置を設けた上で、決済端末側で、ユーザの指紋を読み取って、登録してある特徴点データと読み取ったユーザの指紋の特徴点データとを比較して、これらが一致している場合にのみ、オンライン決済を行う技術が提案されていた。
【先行技術文献】
【特許文献】
【０００５】
【特許文献１】特開２０１５−１９７８０９号公報
【発明の概要】
【発明が解決しようとする課題】
【０００６】
しかしながら、前述のユーザの指紋を用いて決済を行う技術については、決済端末側に指紋読取認証装置を設ける大幅な改造等が必要であるので、例えば一般店舗やタクシーにて用いられる簡易的な決済端末に適用するのは、不向きであった。そこで、あらゆる決済端末で用いられることが可能なクレジットカードにてセキュリティを向上させる観点において、改善の余地があった。
【０００７】
本発明は、上記に鑑みてなされたものであって、読取装置を大幅に改造すること無くセキュリティを向上させることが可能となる、カードを提供することを目的とする。
【課題を解決するための手段】
【０００８】
上述した課題を解決し、目的を達成するために、請求項１に記載のカードは、識別情報を読取装置に対して送信するカードであって、ユーザによって操作された場合に、環境エネルギーを利用して電力を発電する発電手段と、前記発電手段が発電した電力を用いて、ユーザの生体情報を取得する取得手段と、前記取得手段が前記生体情報を取得した場合に、前記識別情報を前記読取装置に対して送信する送信手段と、を備える。
【０００９】
また、請求項２に記載のカードは、請求項１に記載のカードにおいて、前記取得手段は、前記発電手段の周辺に設けられている。
【００１０】
また、請求項３に記載のカードは、請求項１又は２に記載のカードにおいて、前記発電手段は、ユーザから付与された力によって変形した場合に発電する。
【００１１】
また、請求項４に記載のカードは、請求項１から３のいずれか一項に記載のカードにおいて、前記発電手段は、ユーザから熱が伝達された場合に発電する。
【００１２】
また、請求項５に記載のカードは、請求項１から４のいずれか一項に記載のカードにおいて、前記取得手段が取得した前記生体情報に基づいて、生体認証を行う認証手段、を備え、前記送信手段は、前記取得手段が前記生体情報を取得した場合において、前記認証手段による前記生体認証が合格した場合に、前記識別情報を前記読取装置に対して送信する。
【００１３】
また、請求項６に記載のカードは、請求項５に記載のカードにおいて、前記取得手段が取得した前記生体情報を格納する生体情報格納手段、を備え、前記認証手段は、前記生体情報格納手段が格納している前記生体情報に基づいて、前記生体認証を行い、前記生体情報格納手段は、所定の場合に自己に格納されている前記生体情報が消去される。
【００１４】
また、請求項７に記載のカードは、請求項１から６のいずれか一項に記載のカードにおいて、前記送信手段は、前記取得手段が前記生体情報を取得した場合に、前記識別情報と共に、前記取得手段が取得した前記生体情報を送信し、前記読取装置は、前記カードの前記送信手段が送信した前記生体情報に基づいて、生体認証を行う。
【発明の効果】
【００１５】
請求項１に記載のカードによれば、環境エネルギーを利用して電力を発電する発電手段が発電した電力を用いて、取得手段がユーザの生体情報を取得することから、例えば、読取装置側にユーザの生体情報を取得する専用装置を設ける必要がないので、読取装置を大幅に改造する必要がない。すなわち、例えば、従来の生体認証対応のカード認証システムの場合、カード読取装置側に別途の指紋等の生体情報取得装置を設ける必要があったが、従来のカード（一例としてＩＣチップカード）読取装置をそのまま利用することができ、カードを利用する店舗やタクシー等において、新たな生体認証対応のカード読取装置を導入せずにセキュリティレベルを上げることができる。また、例えば、カード側で取得した生体情報をセキュリティのために用いることができるので、カードを用いて不正（例えば、不正な決済等）が行われるのを防止することができ、セキュリティを向上させることができる。また、例えば、生体情報の取得を行うための電力を確保するために、カードに電池を設ける必要がないので、カードの形状が電池の形状に左右されたり、カードの連続使用時間が電池寿命に左右されたりすることが無く、薄型（例えば、厚さ０．７６ミリメートル等）で連続使用可能な使い勝手の良いカードを提供することができる。
【００１６】
また、請求項２に記載のカードによれば、取得手段が発電手段の周辺に設けられていることから、例えば、取得手段がユーザの指紋の情報を生体情報として取得する場合に、ユーザがカードを手で保持した状態で持ち直すこと無く、電力の発電及び生体情報の取得を行うことができるので、カードの利便性を向上させることができる。
【００１７】
また、請求項３に記載のカードによれば、発電手段がユーザから付与された力によって変形した場合に発電することから、例えば、ユーザが通常行うカードの使用操作の過程において、カードに対して力を付与するという単純な操作で発電することができるので、カードの利便性を一層向上させることができる。
【００１８】
また、請求項４に記載のカードによれば、発電手段がユーザから熱が伝達された場合に発電することから、例えば、ユーザがカードに触れるのみで体温によって発電することができるので、カードの利便性をより一層向上させることができる。
【００１９】
また、請求項５に記載のカードによれば、取得手段が取得した生体情報に基づいて生体認証を行うことから、例えば、不正を行い難い認証をカードが行うので、セキュリティを向上させることができる。また、例えば、生体認証を行うための構成を読取装置側に設ける必要が無いので、既存の読取装置に対して大幅な改造を行うことなく、セキュリティを向上させることができる。
【００２０】
また、請求項６に記載のカードによれば、所定の場合に生体情報格納手段に格納されている生体情報が消去されることから、例えば、生体認証を行うことができるタイミング（つまり、時間）を制限することができるので、正規なユーザ以外の者によるカードの不正な使用を防止することができ、セキュリティを一層向上させることができる。
【００２１】
また、請求項７に記載のカードによれば、識別情報と共に生体情報を送信することから、例えば、送信された識別情報及び生体情報を用いて、読取装置側で生体認証を行うことができるので、セキュリティを向上させることができる。また、例えば、カード側で生体認証を行わないようにして、カード側の処理負担を軽減することができる。
【図面の簡単な説明】
【００２２】
【図１】本実施の形態に係るカードシステムを例示するブロック図である。
【図２】カードの平面図である。
【図３】図２におけるカードのＡ−Ａ矢視断面図である。
【図４】生体情報取得処理のフローチャートである。
【図５】生体認証処理のフローチャートである。
【発明を実施するための形態】
【００２３】
以下に添付図面を参照して、この発明に係るカードの実施の形態を詳細に説明する。ただし、これらの実施の形態によって本発明が限定されるものではない。
【００２４】
本発明に係るカードは、識別情報を読取装置に対して送信するカードであって、環境エネルギーを利用して発電手段が発電した電力を用いて、ユーザの生体情報を取得し、生体情報を取得した場合に、識別情報を読取装置に対して送信するカードである。
【００２５】
ここで、「カード」とは、ユーザによって利用されるカードであって、接触式あるいは非接触式のカードであり、具体的には、ユーザを認証するための認証カード、クレジットカード、キャッシュカード、デビットカード、又は列車乗車用カード等を含む概念であり、例えば、少なくとも、発電手段、取得手段、及び送信手段を備えており、任意で、認証手段を備えている。「接触式のカード」とは、読取装置との間で接触して（つまり、有線にて）少なくとも識別情報を通信するカードであり、「非接触式のカード」とは、読取装置との間で接触せずに（つまり、無線にて）少なくとも識別情報を通信するカードである。「識別情報」とは、カードを一意に識別するための情報（以下、カードＩＤ）である。「読取装置」とは、カードからの情報を読み取る装置であって、具体的な構成は任意であり、例えば、公知の汎用情報装置に情報の読取機能を付加してもよく、あるいは、情報を読み取る専用装置として構成してもよく、例えば、一般店舗やタクシーにて用いられる簡易的な決済端末、現金自動預け払い機、又は自動改札機等を含む概念である。
【００２６】
「発電手段」とは、ユーザによって操作された場合に、環境エネルギーを利用して電力を発電する手段であり、具体的には、取得手段の周辺に設けられているものであって、ユーザから付与された力によって変形した場合に発電するもの、ユーザから熱が伝達された場合に発電するもの等を含む概念である。「環境エネルギー」とは、環境において様々な形態で存在するエネルギーを意味し、例えば、光、熱、圧力（水力や波力を含む）、音、振動、及び電波等を含む概念である。このような環境エネルギーを利用した発電（環境発電）により取得した電力であれば、その種類や原理を問わず、利用することが可能である。
【００２７】
「取得手段」とは、発電手段が発電した電力を用いて、ユーザの生体情報を取得する手段であり、具体的には、接触式の取得手段及び非接触式の取得手段等を含む概念である。「接触式の取得手段」とは、ユーザの少なくとも一部に接触して生体情報を取得するものであり、「非接触式の取得手段」とは、ユーザに接触せずに生体情報を取得するものである。「生体情報」とは、ユーザの身体的特徴や行動的特徴の情報であり、具体的には、身体的特徴の情報である指紋の情報又は瞳の中の虹彩や網膜の血管の情報、あるいは手の甲の静脈のパターンの情報、皮膚の吸収（あるいは反射）スペクトルの情報、又は、行動的特徴であるコンピュータのキーボードの操作の仕方の情報等を含む概念である。なお、「皮膚の吸収（あるいは反射）スペクトルの情報」とは、皮膚の下のタンパク質、ならびに脂質、水分等の組成やミセル構造が人によって異なることに着目した情報であり、例えば、マルチスペクトルのＬＥＤ、もしくはレーザー素子により皮膚をパルス状で照射し、その反射光のスペクトルの時間的な変化に対応する情報である。
【００２８】
「送信手段」とは、取得手段が生体情報を取得した場合に、少なくともカードＩＤを読取装置に対して送信する手段であり、具体的には、有線にて送信するもの、又は、無線にて送信するもの等を含む概念である。
【００２９】
「認証手段」とは、取得手段が取得した生体情報に基づいて、生体認証を行う手段であり、具体的には、認証結果として認証がとれたことを示す合格、あるいは、認証がとれなかったことを示す不合格を決定するものであり、例えば、カードの情報を読み取る読取装置の構成に応じて、カードに対して設けられたり、カードから省略されたりするものである。「生体認証」とは、生体情報を用いて行う認証であって、具体的には、身体的特徴である指紋又は瞳の中の虹彩や網膜の血管、あるいは手の甲の静脈のパターンの情報を用いて行う認証、行動的特徴であるコンピュータのキーボードの操作の仕方の情報を用いて行う認証等を含む概念である。
【００３０】
そして、以下に示す実施の形態では、「カード」が「接触式のカード」であって「クレジットカード」であり、「読取装置」が「タクシーにて用いられる簡易的な決済端末」であり、「環境エネルギー」が「圧力」（つまり、力）であり、「発電手段」が「ユーザから付与された力によって変形した場合に発電するもの」であり、「取得手段」が「接触式の取得手段」であり、「生体情報」が「指紋の情報」であり、カードが認証手段を備えている場合について説明する。特に、環境エネルギーを利用して発電手段が発電した電力を用いて、取得手段がユーザの生体情報を取得した後に、カードを読取装置に挿入して、生体認証を行って、認証結果に基づいて、カードＩＤを送信する場合について説明する。なお、「タクシーにて用いられる簡易的な決済端末」である「読取装置」の構成及び処理については、公知の構成及び処理を適用することができるので、その詳細の説明を省略する。
【００３１】
（構成）
最初に、本実施の形態に係るカードシステムの構成について説明する。図１は、本実施の形態に係るカードシステムを例示するブロック図である。この図１に示すカードシステム１は、タクシーにて決済を行うためのシステムであり、カード１０、及び読取装置２０を備えて構成されている。カード１０は、ユーザによって携帯可能となっており、読取装置２０は、タクシー車両（図示省略）に設けられている。
【００３２】
（構成−カード）
まず、カード１０について説明する。図２は、カード１０の平面図であり、図３は、図２におけるカード１０のＡ−Ａ矢視断面図である。なお、以下の説明では、図２及び図３に示すＸ−Ｙ−Ｚ方向のうち、Ｘ方向を水平長手方向と定義し、Ｙ方向を水平短手方向と定義し、Ｚ方向を厚み方向と定義し、＋Ｘ方向を一方側と定義し、−Ｘ方向を他方側と定義し、＋Ｚ方向を表側と定義し、−Ｚ方向を裏側と定義して、以下説明する。
【００３３】
（構成−カード−物理的構成）
最初に、カード１０の物理的構成について説明する。図２のカード１０は、カード筐体１０１、ＩＣモジュール１０２、指紋センサ１０３、発電プレート１０４、データ通信配線１０５、及び電源配線１０６を備えている。
【００３４】
（構成−カード−物理的構成−カード筐体）
図２のカード筐体１０１は、カード１０の各要素を収容する収容手段であり、具体的には、ユーザの指から力が付与された場合に当該力によって撓んで弾性的に変形し、また、当該力が除去された場合に弾性力によって元の形状に戻るものであって、例えば、樹脂製の薄板形状のものである。
【００３５】
（構成−カード−物理的構成−ＩＣモジュール）
図２のＩＣモジュール１０２は、カード１０の情報を記憶する記憶手段であり、また、カード１０を制御する制御手段であり、具体的には、水平短手方向（Ｙ方向）の中央付近の位置であり、且つ、水平長手方向（Ｘ方向）の他方側（−Ｘ方向）位置において、カード筐体１０１に固定されているものであって、例えば、図３のコンタクト層１０２ａ、及びチップ層１０２ｂを備えているものである。
【００３６】
図３のコンタクト層１０２ａは、カード１０を図１の読取装置２０に挿入した場合に、読取装置２０の不図示の端子と接触する接触手段であり、具体的には、図２に示すように、カード筐体１０１から露出しているものであり、例えば、読取装置２０から供給される電力を受電する端子であるカード側電源端子１０２ａ１、及び読取装置２０との間で情報の送受信（読み書き）を行う端子であるカード側通信端子１０２ａ２を備えているものである。
【００３７】
図３のチップ層１０２ｂは、カード１０の情報を記憶する記憶手段であり、また、カード１０を制御する制御手段であり、具体的には、コンタクト層１０２ａの裏側（−Ｚ方向）に設けられているものであり、例えば、揮発性のメモリ及び不揮発性メモリからなる不図示の記憶部、及び、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリ等からなる不図示の制御部を備えているものである。
【００３８】
（構成−カード−物理的構成−指紋センサ）
図２の指紋センサ１０３は、発電プレート１０４が発電した電力を用いて、ユーザの指紋の形状の情報である生体情報を取得する取得手段であり、具体的には、ＸＹ平面におけるカード筐体１０１の中央を基準にして、ＩＣモジュール１０２の反対側に固定されているものであって、図３に示すようにカード筐体１０１から露出しているものであって、発電プレート１０４に重畳しているものである。この指紋センサ１０３の具体的な構造や生体情報の取得方法は任意であるが、本実施の形態おいては、指紋センサ１０３は、ユーザの指と接触した場合における、指紋による当該指の凹凸に起因して、指紋センサ１０３の不図示の電極に帯電する電荷の量、あるいは導電性等に基づいて指紋の形状を検出し、検出した指紋の形状を生体情報として取得する。
【００３９】
（構成−カード−物理的構成−発電プレート）
図２の発電プレート１０４は、発電手段であり、具体的には、ユーザから付与された力を電気に変換する圧電素子あって、ユーザの指から力が付与された場合に当該力によって撓んで弾性的に変形することにより発電するものである。この発電プレート１０４の具体的な構造や材料あるいは配置等は、指紋センサ１０３の周辺に設けられている限りにおいて任意であり、本実施の形態では、ＸＹ平面においてカード筐体１０１の水平長手方向（Ｘ方向）の中央付近からカード筐体１０１の一方側（＋Ｘ方向）の端（つまり、カード筐体１０１における指紋センサ１０３側の半分の面）にわたって設けられている薄板状体であり、チタン酸バリウム、ジルコニア等の圧電セラミックス、リチウムタンタレート（ＬｉＴａＯ３）等の圧電単結晶にて形成されている。なお、発電プレート１０４として、若しくは発電プレート１０４に代えて、外力（歪み、屈曲、撓み、若しくは圧縮を生じさせる力を含む）により発電が可能な任意の素材を用いることができ、例えば、イオン導電性高分子の膜（ゲル）の両面に金属（金等）をメッキしたイオン高分子金属複合材料（ＩＰＭＣ：Ｉｏｎｉｃ  Ｐｏｌｙｍｅｒ−Ｍｅｔａｌ  Ｃｏｍｐｏｓｉｔｅ）や、イオン導電性高分子ゲル膜（ＩＣＰＦ：Ｉｏｎｉｃ  Ｃｏｎｄｕｃｔｉｎｇ  Ｐｏｌｙｍｅｒｇｅｌ  Ｆｉｌｍ）、あるいは、これらＩＰＭＣやＩＣＰＦを用いた人工筋肉を使用することができる。
【００４０】
（構成−カード−物理的構成−各配線）
図２のデータ通信配線１０５は、ＩＣモジュール１０２と指紋センサ１０３との間で通信ができるように、これらの間に電気的に接続されている通信線であり、電源配線１０６は、発電プレート１０４が発電した電力が指紋センサ１０３に供給されるように、これらの間に電気的に接続されている電源線である。
【００４１】
（構成−カード−各部）
次に、カード１０の各部について説明する。図１のカード１０は、発電部１１、生体情報取得部１２、生体情報記憶部１３、情報記憶部１４、生体情報解析部１５、及び通信インターフェース部１６を備えている。
【００４２】
（構成−カード−各部−発電部）
図１の発電部１１は、ユーザによって操作された場合に、環境エネルギーを利用して電力を発電する発電手段である。この発電部１１の具体的な構成は任意であるが、例えば、図２の発電プレート１０４を備えて構成することができる。
【００４３】
（構成−カード−各部−生体情報取得部）
図１の生体情報取得部１２は、発電部１１が発電した電力を用いて、ユーザの指紋の形状の情報である生体情報を取得する取得手段である。この生体情報取得部１２の具体的な構成は任意であるが、例えば、図２の指紋センサ１０３を備えて構成することができる。
【００４４】
（構成−カード−各部−生体情報記憶部）
図１の生体情報記憶部１３は、カード１０の動作に必要なプログラム又は各種のデータを記録する記録手段であり、特に、生体情報取得部１２が取得した生体情報を格納する生体情報格納手段である。この生体情報記憶部１３の具体的な構成は任意であるが、例えば、図３のチップ層１０２ｂの不図示の記憶部の一部の領域として構成することができる。なお、この「一部の領域」は、図３のチップ層１０２ｂにおける揮発性メモリによって実現される領域であり、発電部１１で発電された電力を用いて、自己が格納している情報を保持するように構成されているものとする。詳細には、この「一部の領域」であるチップ層１０２ｂの揮発性メモリの周辺に、発電部１１で発電された電力によって充電されるキャパシタ（以下、保持用キャパシタ）を含む周辺回路（なお、この保持用キャパシタは、不図示のキャパシタ用電力線を介して発電プレート１０４と電気的に接続されており、発電プレート１０４で発電された電力が供給されるように構成されているものとする）が設けられており、この保持用キャパシタに充電されている電力によって、「一部の領域」の情報が保持されるように構成されているものとする。より詳細には、保持用キャパシタ及び周辺回路については、発電部１１で発電された電力によって保持用キャパシタが充電された場合に、当該保持用キャパシタが「一部の領域」に対して所定時間（例えば、数秒であって、５〜６秒等）だけ継続して電力を供給し続けることにより放電するように構成されており、つまり、発電部１１で発電された場合に、発電部１１で発電されてから所定時間だけ生体情報記憶部１３に格納されている情報が保持され、当該所定時間が経過した後に当該情報が消去されるように構成されているものとする。なお、発電部１１で発電されてから所定時間経過した場合が、「所定の場合」の一例に相当する。
【００４５】
（構成−カード−各部−情報記憶部）
図１の情報記憶部１４は、カード１０の動作に必要なプログラム又は各種のデータを記録する記録手段である。この情報記憶部１４の具体的な構成は任意であるが、例えば、図３のチップ層１０２ｂの不図示の記憶部における前述の「一部の領域」とは異なる他の一部の領域として構成することができる。なお、この「他の一部の領域」は、図３のチップ層１０２ｂにおける不揮発性メモリによって実現される領域であり、発電部１１で発電された電力に関わらず、少なくとも明示的な消去が行われるまでは自己が格納している情報を保持するように構成されているものとする。そして、情報記憶部１４には、カードＩＤ及び事前登録生体情報が記録されている。ここで、「カードＩＤ」とは、前述したように、カード１０を一意に識別するための情報であり、識別情報であって、具体的には、所定桁数（例えば、１６桁）の文字列等である。また、「事前登録生体特徴点情報」とは、カード１０を利用しているユーザについての生体認証を行うための情報であり、具体的には、ユーザの指紋の形状の特徴点を特定する情報である。ここで、「指紋の形状の特徴点」とは、人間を識別するのに用いられる指紋の特徴的な点であり、例えば、指紋中の線の始点、終点、分岐点、あるいは接合点等の形状や配置を含む概念である。そして、カードＩＤについては、カード１０の製造時に予め登録されて記憶され、事前登録生体特徴点情報については、カード発行時にユーザの指紋の形状の生体情報を専用の読み取り装置から入力することにより、予め登録されて記憶される。
【００４６】
（構成−カード−各部−生体情報解析部）
図１の生体情報解析部１５は、生体情報取得部１２が取得した生体情報に基づいて、生体認証を行う認証手段であり、特に、生体情報取得部１２が取得して生体情報記憶部１３が格納している生体情報に基づいて、生体認証を行う認証手段であって、具体的には、認証結果として認証がとれたことを示す合格、あるいは、認証がとれなかったかったことを示す不合格を決定するものである。この生体情報解析部１５の具体的な構成は任意であるが、例えば、図３のチップ層１０２ｂの不図示の制御部を備えて構成することができる。
【００４７】
（構成−カード−各部−通信インターフェース部）
図１の通信インターフェース部１６は、生体情報取得部１２が生体情報を取得した場合に、少なくともカードＩＤを読取装置２０に対して送信する送信手段である。この通信インターフェース部１６の具体的な構成は任意であるが、例えば、図２のコンタクト層１０２ａのカード側通信端子１０２ａ２、及びチップ層１０２ｂの不図示の制御部を備えて構成することができる。そして、これらカード１０の各部によって実行される処理の詳細については後述する。
【００４８】
（構成−読取装置）
次に、読取装置２０について説明する。図１の読取装置２０は、通信インターフェース部２１、情報記憶部２２、読取装置電源部２３、及び情報処理部２４を備えている。
【００４９】
（構成−読取装置−通信インターフェース部）
図１の通信インターフェース部２１は、カード１０との間で通信を行う通信手段である。この通信インターフェース部２１の具体的な構成は任意であるが、例えば、カード１０が読取装置２０に挿入された場合に、図２のカード側通信端子１０２ａ２と接触する公知の端子である不図示の読取側通信端子を備えて構成することができる。
【００５０】
（構成−読取装置−情報記憶部）
図１の情報記憶部２２は、読取装置２０の動作に必要なプログラム及び各種のデータを記録する記録手段である。この情報記憶部２２の具体的な構成は任意であるが、例えば、記録装置としてのフラッシュメモリを用いて構成されているが、フラッシュメモリに代えてあるいはフラッシュメモリと共に、他の半導体記録媒体、光や磁気、あるいは有機分子を用いた記録媒体等、その他の任意の記録媒体を用いることができる。
【００５１】
（構成−読取装置−読取装置電源部）
図１の読取装置電源部２３は、読取装置２０を動作させるための電力、及び、読取装置２０に挿入された状態のカード１０を動作させるための電力を供給する供給手段である。この読取装置電源部２３の具体的な構成は任意であるが、例えば、読取装置２０の外部から供給される商用電力を、読取装置２０の各部及びカード１０の各部に供給するための公知の電源回路、及び、カード１０が読取装置２０に挿入された場合に、図２のカード側電源端子１０２ａ１と接触する公知の端子である不図示の読取側電源端子を備えて構成することができる。
【００５２】
（構成−読取装置−情報処理部）
図１の情報処理部２４は、読取装置２０を制御する制御手段である。この情報処理部２４は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（後述する各装置の制御部についても同様とする）。この情報処理部２４に対しては読取装置用プログラムが、任意の通信手段又はネットワークを介してインストールされることで、情報処理部２４の各部を実質的に構成する。この情報処理部２４の各部によって実行される処理は公知であるので、その概略のみ後述する。
【００５３】
（処理）
次に、このように構成されたカードシステム１によって実行される生体情報取得処理、及び生体認証処理について説明する。なお、この処理についは、本願における特徴的な部分のみ詳細に説明し、特徴的な部分以外の処理については、公知の処理を適用することができるので、その説明を省略する。
【００５４】
（処理−生体情報取得処理）
最初に、生体情報取得処理について説明する。図４は、生体情報取得処理のフローチャートである（以下の各処理の説明ではステップを「Ｓ」と略記する）。「生体情報取得処理」とは、生体情報を取得する処理であり、具体的には、指紋の形状の情報を取得する処理であって、生体認証処理に先だって行われる処理であり、図１の発電部１１で発電された電力を用いて行われる処理である。この生体情報取得処理を起動するタイミングは任意であるが、例えば、ユーザが、図２のカード１０における一方側（＋Ｘ方向）の部分を手で保持し、自己の指（例えば、親指）を指紋センサ１０３に接触させた状態で、保持している部分に力を付与することにより、発電プレート１０４がカード筐体１０１と共に撓んで（つまり、変形して）当該発電プレート１０４が発電して、発電された電力が指紋センサ１０３に供給された場合に起動して実行を開始するものとして、起動した後から説明する。
【００５５】
まず、図４に示すように、ＳＡ１においてカード１０の生体情報取得部１２は、生体情報を取得する。具体的には、生体情報取得処理を起動する場合に図１の発電部１１で発電された電力を用いて、指紋の形状の情報を生体情報として取得する。詳細には、生体情報取得部１２の図２の指紋センサ１０３は、発電部１１の発電プレート１０４から電源配線１０６を介して自己に供給された電力を用いて、自己に接触しているユーザの指紋の形状を検出し、検出した指紋の形状の情報を生体情報として取得する。
【００５６】
図４に戻って、ＳＡ２においてカード１０の生体情報取得部１２は、生体情報を生体情報記憶部１３に記録する。具体的には、ＳＡ１で取得した生体情報を、生体情報取得処理を起動する場合に図１の発電部１１で発電された電力を用いて、図１の生体情報記憶部１３に記録する。詳細には、生体情報取得部１２の図２の指紋センサ１０３は、ＳＡ１で取得した生体情報を、発電部１１の発電プレート１０４から電源配線１０６を介して自己に供給された電力を用いて、データ通信配線１０５を介してＩＣモジュール１０２に送信することにより、当該ＩＣモジュール１０２のチップ層１０２ｂの不図示の記憶部における前述の「一部の領域」に記録する。そして、生体情報取得処理を起動する場合に図１の発電部１１で発電された電力は、不図示のキャパシタ用電力線を介して、図３のチップ層１０２ｂにおける前述の不図示の保持用キャパシタにも供給されて充電されることになるので、当該充電された保持用キャパシタが「一部の領域」（つまり、生体情報記憶部１３）に電力を供し続けている間中は、生体情報記憶部１３に記録された生体情報が保持され、生体情報取得処理を起動してから所定時間経過した場合に消去されることになる。このように、生体情報を保持し続ける時間を制限することにより、後述する生体認証を行うことができるタイミング（つまり、時間）を制限することができるので、正規なユーザ以外の者によるカード１０の不正な使用を防止することができ、セキュリティを一層向上させることができる。これにて、生体情報取得処理を終了する。
【００５７】
（処理−生体認証処理）
次に、生体認証処理について説明する。図５は、生体認証処理のフローチャートである。「生体認証処理」とは、生体認証を行う処理であり、具体的には、図１の読取装置電源部２３から供給される電力を用いて行われる処理である。この生体認証処理を起動するタイミングは任意であるが、例えば、ユーザが、図１のカード１０を読取装置２０に挿入して、図２のカード側電源端子１０２ａ１に対して読取装置２０の不図示の読取側電源端子が接続され、且つ、カード側通信端子１０２ａ２に対して読取装置２０の不図示の読取側通信端子が接続された後に、読取装置電源部２３からの電力が、不図示の読取側電源端子及びカード側電源端子１０２ａ１を介して、ＩＣモジュール１０２に供給された場合に起動して実行を開始するものとして、起動した後から説明する。
【００５８】
まず、図５に示すように、ＳＢ１においてカード１０の生体情報解析部１５は、生体情報を読み込む。具体的には、図１の読取装置電源部２３からの電力を用いて、生体情報記憶部１３に記録されている生体情報（つまり、図４のＳＡ１で取得した生体情報）を読み込む。詳細には、生体情報解析部１５は、読取装置電源部２３からの電力を用いて、図２のＩＣモジュール１０２のチップ層１０２ｂの不図示の記憶部における前述の「一部の領域」にアクセスして、アクセスした「一部の領域」から、生体情報として指紋の形状の情報を読み込む。
【００５９】
図５に戻って、ＳＢ２においてカード１０の生体情報解析部１５は、生体認証を行う。具体的には、図１の読取装置電源部２３からの電力を用いて、ＳＢ１で読み込んだ生体情報である指紋の形状の情報から特徴点を抽出し、また、情報記憶部１４の事前登録生体特徴点情報を読み込んで、抽出した特徴点（以下、抽出特徴点）と事前登録生体特徴点情報が特定する特徴点（以下、事前登録特徴点）とを比較し、これらが一致しているか否かに基づいて、一致している場合に生体認証が合格であるものと判定し、異なっている場合に生体認証が不合格であるものと判定する。詳細には、生体情報解析部１５は、読取装置電源部２３からの電力を用いて、ＳＢ１で読み込んだ生体情報である指紋の形状の情報から特徴点を抽出し、また、図２のＩＣモジュール１０２のチップ層１０２ｂの不図示の記憶部における前述の「他の一部の領域」にアクセスして、アクセスした「他の一部の領域」から事前登録生体特徴点情報を読み込んだ上で、抽出特徴点と事前登録特徴点とを比較して合格又は不合格を判定する。
【００６０】
図５に戻って、ＳＢ３においてカード１０の生体情報解析部１５は、生体認証が合格したか否かを判定する。具体的には、図１の読取装置電源部２３からの電力を用いて、ＳＢ２の処理結果に基づいて判定する。そして、ＳＢ２の生体認証において不合格と判定された場合、生体認証が合格しなかったものと判定し（ＳＢ３のＮＯ）、処理を終了する。また、ＳＢ２の生体認証において合格と判定された場合、生体認証が合格したもの判定し（ＳＢ３のＹＥＳ）、ＳＢ４に移行する。
【００６１】
図５に戻って、ＳＢ４においてカード１０の生体情報解析部１５は、カードＩＤを送信する。具体的には、図１の読取装置電源部２３からの電力を用いて、情報記憶部１４のカードＩＤを読み込んで、読み込んだカードＩＤを、通信インターフェース部１６を介して送信する。詳細には、生体情報解析部１５は、読取装置電源部２３からの電力を用いて、図２のＩＣモジュール１０２のチップ層１０２ｂの不図示の記憶部における前述の「他の一部の領域」にアクセスして、アクセスした「他の一部の領域」からカードＩＤを読み込んで、読み込んだカードＩＤを、カード側通信端子１０２ａ２及び不図示の読取側通信端子（つまり、図１の通信インターフェース部２１）を介して、読取装置２０に送信する。これにて、生体認証処理を終了する。なお、この後、図５のＳＢ４にて送信されたカードＩＤを受信した読取装置２０の情報処理部２４は、公知の処理を行って決済を行う。
【００６２】
これらの生体情報取得処理及び生体認証処理を行うことにより、「正規のユーザ」によってカード１０が保持されて利用されている場合にのみ決済を行うことができるので、「不正なユーザ」によってカード１０が利用されて不正な決済が行われることを防止することができる。ここで、「正規のユーザ」とは、カード１０を適正に所有しているユーザであり、具体的には、図１の情報記憶部１４に事前登録生体特徴点情報が登録されているユーザであり、「不正なユーザ」とは、カード１０を窃盗の如き不正な行為より所有しているユーザであり、具体的には、図１の情報記憶部１４に事前登録生体特徴点情報が登録されていないユーザである。
【００６３】
（実施の形態の効果）
このように本実施の形態によれば、環境エネルギーを利用して電力を発電する発電部１１が発電した電力を用いて、生体情報取得部１２がユーザの生体情報を取得することから、例えば、読取装置２０側にユーザの生体情報を取得する専用装置を設ける必要がないので、読取装置２０を大幅に改造する必要がない。すなわち、例えば、従来の生体認証対応のカード認証システムの場合、カード読取装置側に別途の指紋等の生体情報取得装置を設ける必要があったが、従来のカード（一例としてＩＣチップカード）読取装置をそのまま利用することができ、カードを利用する店舗やタクシー等において、新たな生体認証対応のカード読取装置を導入せずにセキュリティレベルを上げることができる。また、例えば、カード１０側で取得した生体情報をセキュリティのために用いることができるので、カード１０を用いて不正（例えば、不正な決済等）が行われるのを防止することができ、セキュリティを向上させることができる。また、例えば、生体情報の取得を行うための電力を確保するために、カード１０に電池を設ける必要がないので、カード１０の形状が電池の形状に左右されたり、カード１０の連続使用時間が電池寿命に左右されたりすることが無く、薄型（例えば、厚さ０．７６ミリメートル等）で連続使用可能な使い勝手の良いカード１０を提供することができる。
【００６４】
また、生体情報取得部１２が発電部１１の周辺に設けられていることから、例えば、生体情報取得部１２がユーザの指紋の情報を生体情報として取得する場合に、ユーザがカード１０を手で保持した状態で持ち直すこと無く、電力の発電及び生体情報の取得を行うことができるので、カード１０の利便性を向上させることができる。
【００６５】
また、発電部１１がユーザから付与された力によって変形した場合に発電することから、例えば、ユーザがカード１０に対して力を付与するという単純な操作で発電することができるので、カード１０の利便性を一層向上させることができる。
【００６６】
また、生体情報取得部１２が取得した生体情報に基づいて生体認証を行うことから、例えば、不正を行い難い認証をカード１０が行うので、セキュリティを向上させることができる。また、例えば、生体認証を行うための構成を読取装置２０側に設ける必要が無いので、既存の読取装置２０に対して大幅な改造を行うことなく、セキュリティを向上させることができる。
【００６７】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００６８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、従来のシステムによりも、セキュリティを向上させることが困難な場合が生じたとしても、本願発明の手段が従来のシステムの手段と異なっている場合には、本願の課題が解決されている。
【００６９】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、図１のカード１０の各部の少なくとも１つを読取装置２０、又はカード１０及び読取装置２０以外の装置に設けてもよく、読取装置２０の各部の少なくとも１つをカード１０、又はカード１０及び読取装置２０以外の装置に設けてもよい。
【００７０】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７１】
（情報送信について）
また、上記実施の形態では、図５のＳＢ４でカードＩＤを送信する場合について説明したが、これに限られない。例えば、ＳＢ３の判定を省略した上で、ＳＢ４にて、ＳＢ２での生体認証の結果とカードＩＤとを図１のカード１０から読取装置２０に送信してもよい。この場合、読取装置２０は、「生体認証が合格」という結果を受信した場合にのみ、決済を行ってもよい。
【００７２】
（生体情報の消去）
また、上記実施の形態の図５のＳＢ１で生体情報を読み込んだ直後に、図１の生体情報記憶部１３に記録されている生体情報を、公知の手段を用いて明示的に、消去してもよい。このように構成した場合、カード１０が不正に利用されたり、生体情報記憶部１３の生体情報が不正に取得されたりするのを防止することができる。なお、ＳＢ１で生体情報を読み込んだことが、「所定の場合」の一例に相当する。また、例えば、カード１０に超薄型の電池及び当該電池の電力で動作するリアルタイムクロックを設けた上で、図４のＳＡ２で生体情報を記録する場合に記録した時刻も一緒に記録した上で、生体情報解析部１５が、図５のＳＢ１で生体情報を読み込む場合に、前述の時刻を参照して、参照した時刻が現在の時刻よりも所定時間（例えば、５〜６秒等）を超えて前のものである場合、カード１０が不正に利用されている可能性があることを考慮して、生体情報記憶部１３の生体情報を消去した上で、カードＩＤを送信することなく、生体認証処理を終了してもよい。このように構成する場合、図１の生体情報記憶部１３をフラッシュメモリの如き不揮発性メモリによって実現してもよい。なお、参照した時刻が現在の時刻よりも所定時間（例えば、５〜６秒等）を超えて前のものである場合が、「所定の場合」の一例に相当する。
【００７３】
（生体情報解析部について）
また、上記実施の形態では、図１に示すように、生体情報解析部１５（つまり、認証手段）をカード１０に設ける場合について説明したが、これに限られない。例えば、認証手段を読取装置２０のみに設けてもよいし、認証手段をカード１０及び生体情報解析部１５の両方に設けてもよい。
【００７４】
まず、認証手段を読取装置２０のみに設ける場合について具体的には、以下のように構成してもよい。すなわち、図１の情報記憶部１４の事前登録生体特徴点情報を、カード１０にて省略した上で読取装置２０の情報記憶部２２にカードＩＤと関連付けて記録し、認証手段（つまり、生体情報解析部１５）を、カード１０にて省略した上で読取装置２０に設けてもよい。このように構成した上で、カード１０は、図５のＳＢ１を実行した後に、ＳＢ２及びＳＢ３を省略して、ＳＢ４においてカードＩＤと共に生体情報記憶部１３に記録されている生体情報（つまり、図４のＳＡ１で取得した生体情報）を、読取装置２０に送信する。一方、読取装置２０の認証手段は、この送信された生体情報及び情報記憶部２２の事前登録生体特徴点情報に基づいて、図５のＳＢ２の場合と同様に生体認証を行って、この生体認証の結果に基づいて決済を行ってもよい。このように構成した場合、カードＩＤと共に生体情報を送信することから、例えば、送信されたカードＩＤ及び生体情報を用いて、読取装置２０側で生体認証を行うことができるので、セキュリティを向上させることができる。また、例えば、カード１０側で生体認証を行わないようにして、カード１０側の処理負担を軽減することができる。
【００７５】
また、認証手段をカード１０及び生体情報解析部１５の両方に設ける場合について具体的には、以下のように構成してもよい。すなわち、図１の情報記憶部１４の事前登録生体特徴点情報を、カード１０にて省略せずに読取装置２０の情報記憶部２２にもカードＩＤと関連付けて記録し、認証手段（つまり、生体情報解析部１５）を、カード１０にて省略せずに読取装置２０にも設けてもよい。このように構成した上で、カード１０は、図５のＳＢ４においてカードＩＤと共に生体情報記憶部１３に記録されている生体情報（つまり、図４のＳＡ１で取得した生体情報）を、読取装置２０に送信する。一方、読取装置２０の認証手段は、前述の「認証手段を読取装置２０のみに設ける場合」と同様な処理を行ってもよい。
【００７６】
また、この変形例のように、「事前登録生体特徴点情報」を読取装置２０側で用いる場合において、読取装置２０と不図示のデータサーバとの間での安全な通信経路が確保されている場合には、「事前登録生体特徴点情報」を読取装置２０自体では無くデータサーバに格納した上で、読取装置２０の認証手段は、生体認証を行う都度、データサーバにアクセスしてデータサーバの事前登録生体特徴点情報を取得して処理してもよい。このように構成した場合、事前登録生体特徴点情報が読取装置２０から不正に入手される可能性を低減することができる。
【００７７】
（事前登録生体特徴点情報について）
また、上記実施の形態では、図１に示すように、事前登録生体特徴点情報がカード１０の情報記憶部１４に記録されている場合について説明したが、これに限られない。例えば、事前登録生体特徴点情報をカードＩＤと組み合わせて、読取装置２０の情報記憶部２２、あるいは、「（生体情報解析部について）」で説明したデータサーバに記録して、記録した情報を用いて、カード１０側で生体認証を行ってもよい。具体的には、生体認証を行う前に、カード１０が、読取装置２０に、あるいは、読取装置２０を介してデータサーバに、当該カード１０の自己のカードＩＤを含む要求信号を送信するようにし、一方、読取装置２０、あるいは、読取装置２０を介してデータサーバは、要求信号を受信した場合に、要求信号に含まれているカードＩＤに対応する事前登録生体特徴点情報を取得して、当該取得した事前登録生体特徴点情報を要求信号の送信元に返信するように構成してもよい。そして、カード１０が、読取装置２０から、あるいは、読取装置２０を介してデータサーバから返信された事前登録生体特徴点情報を用いて、実施の形態あるいは変形例に記載されている場合と同様にして、生体認証を行って、生体認証が合格した場合にのみ、合格した旨と共に自己のカードＩＤを読取装置２０に送信し、一方、読取装置２０は、合格した旨と共にカードＩＤを受信した場合に、公知の処理により決済を行うように構成してもよい。
【００７８】
（生体情報取得部について（その１））
また、上記実施の形態では、図３の指紋センサ１０３がカード筐体１０１における表側（＋Ｚ方向）の面に露出して１つのみ設けられる場合について説明したが、これに限られない。例えば、指紋センサ１０３の個数、設けられている位置、又は形状を変更して、以下に示す第１の構成又は第２の構成としてもよい。
【００７９】
第１の構成は、指紋センサ１０３及び発電プレート１０４が厚み方向（Ｚ方向）において互いに重畳しない構成であり、具体的には、発電プレート１０４の形状を任意に変更（例えば、図２に示すもの２〜４分の１の面積のもの、あるいは、指紋センサ１０３の外形に対応する孔が設けられたものに変更）した上で、水平長手方向（Ｘ方向）又は水平短手方向（Ｙ方向）において、発電プレート１０４に対して指紋センサ１０３をずらすことにより、指紋センサ１０３及び発電プレート１０４が厚み方向（Ｚ方向）において互いに重畳しないように構成してもよい。この場合、指紋センサ１０３及び発電プレート１０４が互いに同一平面（ＸＹ平面）上に設けられるように構成してもよい。また、例えば、発電プレート１０４を２分割した上で、指紋センサ１０３を左右（例えば、一方側（＋Ｘ方向）及び他方側（−Ｘ方向））から２分割した発電プレート１０４の一方及び他方にて挟んでもよい。また、例えば、指紋センサ１０３及び発電プレート１０４各々を細長い形状とした上で、細長い指紋センサ１０３と細長い発電プレート１０４とを交互に複数並べてもよい。
【００８０】
第２の構成は、センサを複数設ける構成であり、具体的には、図３の指紋センサ１０３と同様な構成のセンサ部（以下、他のセンサ部）を、カード筐体１０１の外面における所定位置に１つのみ又は複数設けて、指紋センサ１０３及び他のセンサ部において互いに異なる指紋を取得するようにして、取得した全ての指紋について生体認証が合格した場合に、生体認証が合格したものと判定し、生体認証が合格しなかったものが少なくとも１つあった場合に、生体認証が合格していないものと判定するように構成してもよい。この第２の構成において、他のセンサ部を１つのみ設ける場合、当該１つの他のセンサ部を、図３の厚み方向（Ｚ方向）において、指紋センサ１０３とは反対側、すなわち、カード筐体１０１の裏側（−Ｚ方向）に設けてもよい。この場合、指紋センサ１０３又は他のセンサ部のうちの一方に親指を接触させて、指紋センサ１０３又は他のセンサ部のうちの他方に前述の親指と同じ手の親指以外の指（例えば、人差し指、又は中指等）を接触させてもよい。
【００８１】
（生体情報取得部について（その２））
また、上記実施の形態では、図１の生体情報取得部１２として、接触式の取得手段を用いる場合について説明したが、これに限られない。例えば、非接触式の取得手段を用いてもよいし、接触式の取得手段及び非接触式の取得手段を組み合わせて用いてもよい。
【００８２】
（発電部について（その１））
また、上記実施の形態において、図３の発電プレート１０４について、面積を縮小した上で複数設けてもよい。また、例えば、図３の発電プレート１０４として公知の圧電バイモルフ素子を適用してもよい。また、例えば、カード筐体１０１を撓まないように硬度を高め、且つ、カード筐体１０１の内部で発電プレート１０４のみが変形するように、カード筐体１０１の内部空間を広げて（あるいは、発電プレート１０４の厚みを薄くして）し、且つ、カード筐体１０１にける発電プレート１０４と対向する位置に操作孔を設けた上で、操作孔を介してユーザが発電プレート１０４に直接的に力を付加することにより、発電プレート１０４が変形して発電するように構成してもよい。
【００８３】
（発電部について（その２））
また、上記実施の形態では、図１の発電部１１を、ユーザから付与された力によって変形した場合に発電するものとして構成する場合について説明したが、これに限られない。例えば、発電部１１を、ユーザから熱が伝達された場合に発電するものとして構成してもよい。具体的には、図３の発電プレート１０４と共にあるいは代わりに、温度差によって発電する素子である公知のペルチェ素子などの熱電素子を設けて、当該熱電素子の一部に対して、カード１０を保持しているユーザから熱（例えば、手の体温）が伝達され易く、かつ対向電極側を比熱の高いものに接触するなどして、すぐに熱平衡に達しないようにすることで、ユーザがカード１０を保持している場合に熱電素子が発電を行うように構成してもよい。このように構成した場合、発電部１１がユーザから熱が伝達された場合に発電することから、例えば、ユーザがカード１０に触れるのみで発電することができるので、カード１０の利便性をより一層向上させることができる。
【００８４】
（ディスプレイについて）
また、上記実施の形態において、カード１０の状態を表示するディスプレイを、カード１０に設けて、このディスプレイに、図４及び図５の各処理に関する情報（例えば、図４のＳＡ２が実行されたこと、あるいは、図５のＳＢ２での生体認証の結果等）を表示してもよい。このディスプレイについては、カード１０に対して任意の位置に任意の個数だけ設けてもよい。
【００８５】
（蓄電部について）
また、上記実施の形態又は変形例に対して、図１の発電部１１で発電した電力を蓄電する蓄電手段（例えば、キャパシタ等）を設けて、蓄電手段に蓄電されている電力を用いて図４の生体情報取得処理を行ってもよい。また、蓄電手段の電力が余っている場合には、図５の生体認証処理で用いられる電力の一部として、この余っている電力を用いてもよい。なお、蓄電手段の構成は任意であるが、図１のカード１０のユーザの動作に伴って、発電部１１が交流の電力（つまり、極性が変化する電力）を発電するように構成されている場合には、整流回路（例えば、ダイオードブリッジ等）を含む、充電効率を上昇させるための公知の回路を、蓄電手段の一部として、あるいは、蓄電手段とは別体として設けてもよい。
【００８６】
（適用について）
また、上記実施の形態及び変形例の特徴を、非接触式のカードに適用してもよい。その場合、電力は読み取り装置側から電磁誘導等の手段で供給され、データは電波等の手段で送信される。また、上記実施の形態及び変形例の特徴を、いわゆるＩＣカード以外のカード（例えば、磁気カード等）に適用してもよい。
【００８７】
（用語「送信する」の意味について）
また、上記実施の形態の通信インターフェース部１６の説明の「少なくともカードＩＤを読取装置２０に対して送信する送信手段」における、「送信する」については、能動的な意味として捉えてもよいし、受動的な意味として捉えてもよい。能動的な意味として捉える場合は、例えば、「通信インターフェース部１６が読取装置２０に対してカードＩＤを送る」と捉えてもよいし、受動的な意味として捉える場合には、「通信インターフェース部１６が読取装置２０によってカードＩＤを読み込まれる」と捉えてもよい。なお、この「送信する」を、能動的な意味として捉えたとしても、あるいは、受動的な意味として捉えたとしても、カード１における通信インターフェース部１６以外の少なくとも一部の構成又は要素、あるいは、読取装置２０における少なくとも一部の構成又は要素が、少なくともカードＩＤを読取装置２０に対して送信してもよい。
【００８８】
（用語「所定の場合」の意味について）
また、上記実施の形態で「相当する」ものとして説明した「所定の場合」とは、生体情報記憶部１３に記憶されている生体情報が消去されるタイミングを示す概念であり、例えば、実施の形態で説明したように、発電部１１で発電されてから所定時間経過した場合、あるいは、変形例で説明したように、ＳＢ１で生体情報を読み込んだ場合に対応する概念である。なお、セキュリティのレベルをより一層向上させる観点から、「所定の場合」を、「発電部１１で発電されてから所定時間経過した場合」のみと捉えてもよいし、あるいは、「発電部１１で発電されてから所定時間経過した場合」、及び、「ＳＢ１で生体情報を読み込んだ場合」の論理和として捉えてもよい。このように捉えた場合（つまり、「所定の場合」を少なくとも「発電部１１で発電されてから所定時間経過した場合」と捉えた場合、すなわち、生体認証が行われたか否かに関わらず所定時間経過した後に生体情報記憶部１３の生体情報が消去される場合）、図４で説明したように、正規のユーザがカード１０を保持して、実施の形態で説明した操作を行って、生体情報が生体情報記憶部１３に記録された後に、なんらかの都合で、カード１０を読取装置２０に挿入せずに操作を中断した場合において、当該カード１０を落としたり、盗まれたりした場合でも、不正に決済が行われるのを防止することができる。すなわち、当該カード１０の生体情報が、発電部１１で発電されてから所定時間経過した場合に消去されるので、他人が生体情報を取得する操作を省略して、カード１０を読取装置２０に挿入したとしても、決済が行われないことになり、他人による正規のユーザへのなりすましに基づいて、不正な決済が行われるのを防止することができる。
【００８９】
（付記）
付記１のカードは、識別情報を読取装置に対して送信するカードであって、ユーザによって操作された場合に、環境エネルギーを利用して電力を発電する発電手段と、前記発電手段が発電した電力を用いて、ユーザの生体情報を取得する取得手段と、前記取得手段が前記生体情報を取得した場合に、前記識別情報を前記読取装置に対して送信する送信手段と、を備える。
【００９０】
付記２のカードは、付記１に記載のカードにおいて、前記取得手段は、前記発電手段の周辺に設けられている。
【００９１】
付記３のカードは、付記１又は２に記載のカードにおいて、前記発電手段は、ユーザから付与された力によって変形した場合に発電する。
【００９２】
また、付記４のカードは、付記１から３のいずれか一項に記載のカードにおいて、前記発電手段は、ユーザから熱が伝達された場合に発電する。
【００９３】
付記５のカードは、付記１から４のいずれか一項に記載のカードにおいて、前記取得手段が取得した前記生体情報に基づいて、生体認証を行う認証手段、を備え、前記送信手段は、前記取得手段が前記生体情報を取得した場合において、前記認証手段による前記生体認証が合格した場合に、前記識別情報を前記読取装置に対して送信する。
【００９４】
付記６のカードは、付記５に記載のカードにおいて、前記取得手段が取得した前記生体情報を格納する生体情報格納手段、を備え、前記認証手段は、前記生体情報格納手段が格納している前記生体情報に基づいて、前記生体認証を行い、前記生体情報格納手段は、所定の場合に自己に格納されている前記生体情報が消去される。
【００９５】
付記７のカードは、付記１から６のいずれか一項に記載のカードにおいて、前記送信手段は、前記取得手段が前記生体情報を取得した場合に、前記識別情報と共に、前記取得手段が取得した前記生体情報を送信し、前記読取装置は、前記カードの前記送信手段が送信した前記生体情報に基づいて、生体認証を行う。
【００９６】
（付記の効果）
付記１に記載のカードによれば、環境エネルギーを利用して電力を発電する発電手段が発電した電力を用いて、取得手段がユーザの生体情報を取得することから、例えば、読取装置側にユーザの生体情報を取得する専用装置を設ける必要がないので、読取装置を大幅に改造する必要がない。すなわち、例えば、従来の生体認証対応のカード認証システムの場合、カード読取装置側に別途の指紋等の生体情報取得装置を設ける必要があったが、従来のカード（一例としてＩＣチップカード）読取装置をそのまま利用することができ、カードを利用する店舗やタクシー等において、新たな生体認証対応のカード読取装置を導入せずにセキュリティレベルを上げることができる。また、例えば、カード側で取得した生体情報をセキュリティのために用いることができるので、カードを用いて不正（例えば、不正な決済等）が行われるのを防止することができ、セキュリティを向上させることができる。また、例えば、生体情報の取得を行うための電力を確保するために、カードに電池を設ける必要がないので、カードの形状が電池の形状に左右されたり、カードの連続使用時間が電池寿命に左右されたりすることが無く、薄型（例えば、厚さ０．７６ミリメートル等）で連続使用可能な使い勝手の良いカードを提供することができる。
【００９７】
付記２に記載のカードによれば、取得手段が発電手段の周辺に設けられていることから、例えば、取得手段がユーザの指紋の情報を生体情報として取得する場合に、ユーザがカードを手で保持した状態で持ち直すこと無く、電力の発電及び生体情報の取得を行うことができるので、カードの利便性を向上させることができる。
【００９８】
付記３に記載のカードによれば、発電手段がユーザから付与された力によって変形した場合に発電することから、例えば、ユーザがカードに対して力を付与するという単純な操作で発電することができるので、カードの利便性を一層向上させることができる。
【００９９】
また、付記４に記載のカードによれば、発電手段がユーザから熱が伝達された場合に発電することから、例えば、ユーザがカードに触れるのみで発電することができるので、カードの利便性をより一層向上させることができる。
【０１００】
付記５に記載のカードによれば、取得手段が取得した生体情報に基づいて生体認証を行うことから、例えば、不正を行い難い認証をカードが行うので、セキュリティを向上させることができる。また、例えば、生体認証を行うための構成を読取装置側に設ける必要が無いので、既存の読取装置に対して大幅な改造を行うことなく、セキュリティを向上させることができる。
【０１０１】
付記６に記載のカードによれば、所定の場合に生体情報格納手段に格納されている生体情報が消去されることから、例えば、生体認証を行うことができるタイミング（つまり、時間）を制限することができるので、正規なユーザ以外の者によるカードの不正な使用を防止することができ、セキュリティを一層向上させることができる。
【０１０２】
付記７に記載のカードによれば、識別情報と共に生体情報を送信することから、例えば、送信された識別情報及び生体情報を用いて、読取装置側で生体認証を行うことができるので、セキュリティを向上させることができる。また、例えば、カード側で生体認証を行わないようにして、カード側の処理負担を軽減することができる。
【符号の説明】
【０１０３】
１  カードシステム
１０  カード
１１  発電部
１２  生体情報取得部
１３  生体情報記憶部
１４  情報記憶部
１５  生体情報解析部
１６  通信インターフェース部
２０  読取装置
２１  通信インターフェース部
２２  情報記憶部
２３  読取装置電源部
２４  情報処理部
１０１  カード筐体
１０２  ＩＣモジュール
１０２ａ  コンタクト層
１０２ａ１  カード側電源端子
１０２ａ２  カード側通信端子
１０２ｂ  チップ層
１０３  指紋センサ
１０４  発電プレート
１０５  データ通信配線
１０６  電源配線
【図１】
2017200741.tif 000003
【図２】
2017200741.tif 000004
【図３】
2017200741.tif 000005
【図４】
2017200741.tif 000006
【図５】
2017200741.tif 000007